(57)【特許請求の範囲】
【請求項１】
ケース基板上に配置されて光源光を各々出射する複数の発光ダイオードと、
該複数の発光ダイオードの光源光出射側に各々配置されているとともに前記光源光を集光して出射光として出射する複数の集光用レンズと、
該集光用レンズの出射光出射側に設けられているとともに前記出射光を拡散して拡散光として出射する光拡散手段とを備え、
前記複数の発光ダイオードの少なくとも一部が、前記集光用レンズの中心軸からずらして配置され、
前記光拡散手段が、所定の方向に延設された溝を有して溝方向と直交する方向へ出射光を拡散光として拡散するプリズムカバーであり、
前記集光用レンズの中心軸が、前記発光ダイオードの中心に対してプリズムカバーの溝方向と直交する方向にずらして配置されていることを特徴とする照明装置。
【請求項２】
前記ケース基板上に設けられているとともに該ケース基板の基板面に対して外側に向かって傾いた素子配置面を有する素子配置用ベース部をさらに備え、
前記複数の発光ダイオードおよび複数の集光用レンズが、前記素子配置面に配置されていることを特徴とする請求項１に記載の照明装置。
【請求項３】
前記複数の発光ダイオードが、前記ケース基板上の配列方向に沿って直線状に配列され、
前記複数の集光用レンズが、前記配列方向に沿って千鳥状に配列されていることを特徴とする請求項１または請求項２に記載の照明装置。
【請求項４】
前記集光用レンズの表面が、ブラスト加工されていることを特徴とする請求項１乃至請求項３のいずれか一つに記載の照明装置。
【請求項５】
前記プリズムカバーの表面の少なくとも一部がブラスト加工されていることを特徴とする請求項１乃至請求項４のいずれか一つに記載の照明装置。
【発明の詳細な説明】
【技術分野】
【０００１】
本発明は、屋外に設置される防犯灯、街路灯、トンネル灯および道路灯などに用いられる照明装置に関するものである。
【背景技術】
【０００２】
従来、防犯灯などの照明装置には光源として水銀灯、メタルハライドランプ、蛍光ランプを用いることが多かったが、蛍光ランプに比べて消費電力が小さい発光ダイオードが光源として用いられるようになってきている。
このような照明装置としては、反射部材を用いて光を広範囲に反射させるもの（例えば、特許文献１参照。）、指向性が高い発光ダイオードから出射された光を拡散させるもの（例えば、特許文献２。）、凹面または凸面に複数の発光ダイオードを配置して指向性の高い光を広範囲に照射するもの（例えば、特許文献３参照。）がある。
【先行技術文献】
【特許文献】
【０００３】
【特許文献１】特開２００９−１５２１７０号公報（請求項１、図１参照。）
【特許文献２】特開２００９−８７７９４号公報（請求項１、図１参照。）
【特許文献３】特開２００６−３１０２３８号公報（請求項１、図１参照。）
【発明の概要】
【発明が解決しようとする課題】
【０００４】
しかしながら、屋外において防犯灯などの照明装置から遠い領域に光を届かせるために発光ダイオードから出射される光の指向性を高めると、光を直視することで発生する眩しさ（グレア）によって通行者などにおける光の視認性を低下させてしまい、安全な通行を確保することが困難になるという問題点があった。
特許文献１に開示された照明装置では、発光ダイオードから出射された光が樋状の反射体によって反射された後、光透過性を有するカバーで拡散されるため、光を拡散させて広い範囲を照らすと同時にグレアを低減する一定の効果が得られると考えられるが、照明装置から遠い領域を照らすとともにグレアを回避して通行者などにおける光の視認性の低下を避けることは依然として困難であるとともに、反射体の形状に応じて反射光の出射方向に偏りが生じるため、たとえ光が拡散されたとしても光が照射される範囲に少なからず照度分布の偏りが生じてしまい照明装置から離れた遠い領域まで光を届かせつつ均一且つ高い照度で照らすことが困難であるという問題点があった。
そして、特許文献２に開示された照明装置でも、特許文献１に開示された照明装置と同様の問題点があった。
【０００５】
さらに、特許文献３に開示された照明装置では、各々の光出射方向が相互に異なるように複数の発光ダイオードを配置することで各発光ダイオードから出射された光を屋外の広い範囲に到達させたとしても指向性の高い高光度の光が直接通行者などの目に入るため、グレアの発生を回避することができず、また、各発光ダイオードから出射された光のそれぞれが照らす領域がスポット状の狭い領域となってしまうため、照明装置から遠い広い範囲を均一且つ高い照度で照らして通行者の安全な通行などを確保することが困難になるという問題点があった。
【０００６】
また、指向性の高い高光度の光であって波長が３８０〜６００ｎｍ以下の光が通行者などの目に直接入った場合、網膜に含まれる視細胞のうち黄斑部と呼ばれる細胞が光化学反応を起こして視力が低下してしまう恐れがあるという問題点があった。
特に、白色ＬＥＤは、４５０〜４７０ｎｍの青色光とその光により励起された緑色光乃至黄色光により構成されているため、発光ダイオードから出射された光を直視することで黄斑部が光化学反応を起こし、通行者などの視力を低下させてしまう恐れがより一層高くなる。
したがって、特許文献１乃至３に開示された照明装置では、前述の各問題点を同時に解決して屋外における通行者の安全な通行を確保するとともに視力低下を回避することが困難であるという問題点があった。
また、自治体が採用する防犯灯などの照明装置は、その設置数の多さと公共性の高さとから、従来の消費電力に比べてより低く且つ厳しい消費電力基準と、通行者の安全な通行を確保するために設けられた照度基準とを満たす必要があるため、要求される照明装置の装置性能が従来のものより格段に高くなるという問題点があった。
より具体的には、例えば、防犯照明ガイド（平成８年９月、社団法人  日本防犯設備協会）によれば、通行者から４ｍ先の通行者の顔の向きや挙動、姿勢などが分かるように、平均水平面照度が３ルクス以上でかつ最小鉛直面照度が０．５ルクス以上である照明装置が推奨されている。
より好ましくは、通行者から４ｍ先の通行者の顔の概要を識別することができるように、水平面照度（平均値）が５ルクス以上でかつ鉛直面照度（最小値）が１ルクス以上である照明装置が推奨されている。
【０００７】
そこで、本発明が解決しようとする技術的課題、すなわち、本発明の目的は、屋外における通行者の安全な通行などを確保するとともに通行者の視力低下を回避する照明装置を提供することである。
【課題を解決するための手段】
【０００８】
まず、本請求項１に係る発明の照明装置は、ケース基板上に配置されて光源光を各々出射する複数の発光ダイオードと、該複数の発光ダイオードの光源光出射側に各々配置されているとともに前記光源光を集光して出射光として出射する複数の集光用レンズと、該集光用レンズの出射光出射側に設けられているとともに前記出射光を拡散して拡散光として出射する光拡散手段とを備え、前記複数の発光ダイオードの少なくとも一部が、前記集光用レンズの中心軸からずらして配置され、前記光拡散手段が、所定の方向に延設された溝を有して溝方向と直交する方向へ出射光を拡散光として拡散するプリズムカバーであり、前記集光用レンズの中心軸が、前記発光ダイオードの中心に対してプリズムカバーの溝方向と直交する方向にずらして配置されていることにより、前述した課題を解決したものである。
【０００９】
そして、本請求項２に係る発明は、請求項１に係る照明装置において、前記ケース基板上に設けられているとともに該ケース基板の基板面に対して外側に向かって傾いた素子配置面を有する素子配置用ベース部をさらに備え、前記複数の発光ダイオードおよび複数の集光用レンズが、前記素子配置面に配置されていることにより、前述した課題をさらに解決したものである。
【００１０】
そして、本請求項３に係る発明は、請求項１または請求項２に係る照明装置において、前記複数の発光ダイオードが、前記ケース基板上の配列方向に沿って直線状に配列され、前記複数の集光用レンズが、前記配列方向に沿って千鳥状に配列されていることにより、前述した課題をさらに解決したものである。
【００１１】
そして、本請求項４に係る発明は、請求項１乃至請求項３のいずれか一つに係る照明装置において、前記集光用レンズの表面が、ブラスト加工されていることにより、前述した課題をさらに解決したものである。
【００１２】
そして、本請求項５に係る発明は、請求項１乃至請求項４のいずれか一つに係る照明装置において、前記プリズムカバーの表面の少なくとも一部がブラスト加工されていることにより、前述した課題をさらに解決したものである。
【発明の効果】
【００１３】
本発明の請求項１に係る照明装置は、ケース基板上に配置されて光源光を各々出射する複数の発光ダイオードとこの複数の発光ダイオードの光源光出射側に各々配置されているとともに光源光を集光して出射光として出射する複数の集光用レンズとを備えていることにより、光源光が集光されて出射光として複数の集光用レンズのそれぞれから出射される。
本発明の請求項１に係る照明装置は、集光用レンズの出射光出射側に設けられているとともに出射光を拡散して拡散光として出射する光拡散手段とを備えていることにより、出射光より指向性が弱められた拡散光を照明装置から遠い領域に届かせると同時に拡散光が広い範囲に照射されるため、光を直視することで発生するグレアによって通行者などにおける光の視認性が低下することを回避すると同時に照明装置から遠い広い範囲を略均一且つ高い照度で照らして通行者などの通行の安全を確保するとともに、グレアを原因として生じる通行者などの視力低下を回避することができる。
本発明の請求項１に係る照明装置では、複数の発光ダイオードの少なくとも一部が、集光用レンズの中心軸からずらして配置され、光拡散手段が、所定の方向に延設された溝を有して溝方向と直交する方向へ出射光を拡散光として拡散するプリズムカバーであり、集光用レンズの中心軸が、発光ダイオードの中心に対してプリズムカバーの溝方向と直交する方向にずらして配置されていることにより、高い指向性を有する光源光が中心軸に沿って集光用レンズに入射することが回避されるため、光拡散手段に出射光を入射させる前段階で出射光のうち集光用レンズの中心軸に沿った光強度を弱めて平均化し、集光用レンズの中心軸方向で発生するグレアを確実に回避することができる。
なお、本発明の請求項１に係る照明装置によれば、防犯照明ガイド（平成８年９月、社団法人  日本防犯設備協会）に示されているように、通行者から４ｍ先の通行者の顔の向きや挙動、姿勢などが分かるように、平均水平面照度が３ルクス以上でかつ最小鉛直面照度が０．５ルクス以上の照度で路面などを照らすことができるだけでなく、通行者から４ｍ先の通行者の顔の概要を識別することができるように、平均水平面照度が５ルクス以上でかつ最小鉛直面照度が１ルクス以上の照度で路面などを照らすことができる。
【００１４】
そして、本請求項２に係る照明装置は、請求項１に係る照明装置が奏する効果に加えて、ケース基板上に設けられているとともにこのケース基板の基板面に対して外側に向かって傾いた素子配置面を有する素子配置用ベース部をさらに備え、複数の発光ダイオードおよび複数の集光用レンズが素子配置面に配置されていることにより、素子配置面の傾きに応じて発光ダイオードからケース基板の外側方向に向かって光源光が出射されるため、基板面に平行な素子配置面に発光ダイオードを取り付ける場合に比べて光源光の大部分をケース基板の外側方向に向かって出射することができる。
加えて、発光ダイオードから出射された光源光の大部分が照明装置から遠い領域を照らすための照明用の光として外側方向に向かって集光されるため、光源光をそのまま出射して無駄になる光が存在する場合に比べて単位消費電力に対して照明用の光として利用することができる光の割合を増加させることができる。
【００１５】
そして、本請求項３に係る照明装置は、請求項１または請求項２に係る照明装置が奏する効果に加えて、複数の発光ダイオードがケース基板上の配列方向に沿って直線状に配列され、複数の集光用レンズが配列方向に沿って千鳥状に配列されていることにより、配列方向に沿って相互に隣り合う集光用レンズのそれぞれから出射される出射光を拡散した拡散光が出射される範囲が相互に異なるため、各集光用レンズから出射される出射光に対応する拡散光の空間的な分布が相互に平均化されて照明装置から遠い広い範囲をより一層均一且つ高い照度で照らすことができる。
【００１６】
そして、本請求項４に係る照明装置は、請求項１乃至請求項３のいずれか一つに係る照明装置が奏する効果に加えて、集光用レンズの表面がブラスト加工されていることにより、出射光の拡散度がより高くなるため、拡散光がより拡散されて照明装置から遠い広い範囲をより均一且つ高い照度で照らすとともにグレアの発生をより低減することができる。
【００１７】
そして、本請求項５に係る照明装置は、請求項１乃至請求項４のいずれか一つに係る照明装置が奏する効果に加えて、プリズムカバーの表面の少なくとも一部がブラスト加工されていることにより、拡散光の拡散度がより一層高くなるため、拡散光がより一層拡散されて近距離でのグレアを回避することができると同時に照明装置から遠い領域の広い範囲をより一層均一且つ高い照度で照らすとともにグレアの発生をより一層低減することができる。
【図面の簡単な説明】
【００１８】
【図１】本発明の第１実施例に係る照明装置を一部破断した斜視図。
【図２】本発明の第１実施例に係る照明装置を一部破断した正面図。
【図３】図２のＸ−Ｘ線の断面図。
【図４】本発明の第１実施例に係る照明装置の使用態様図。
【図５】本発明の第１実施例に係る照明装置の照度分布を示した照度分布図。
【図６】本発明の第１実施例に係る照明装置と比較例における照度の一覧表。
【図７】本発明の第２実施例に係る照明装置の一部を示した断面図。
【図８】本発明の第２実施例に係る照明装置の使用態様図。
【図９】本発明の第１および第２実施例に係る照明装置に適用可能なプリズムカバーの一変形例を示す断面図。
【発明を実施するための形態】
【００１９】
本発明の照明装置は、ケース基板上に配置されて光源光を各々出射する複数の発光ダイオードと、この複数の発光ダイオードの光源光出射側に各々配置されているとともに光源光を集光して出射光として出射する複数の集光用レンズと、この集光用レンズの出射光出射側に設けられているとともに出射光を拡散して拡散光として出射する光拡散手段とを備えて構成され、これら複数の発光ダイオードの少なくとも一部が集光用レンズの中心軸からずらして配置され、光拡散手段が、所定の方向に延設された溝を有して溝方向と直交する方向へ出射光を拡散光として拡散するプリズムカバーであり、集光用レンズの中心軸が、発光ダイオードの中心に対してプリズムカバーの溝方向と直交する方向にずらして配置されていることにより、光を直視することで発生するグレアによって通行者などにおける光の視認性が低下することを回避すると同時に照明装置から遠い広い範囲を略均一且つ高い照度で照らして通行者などの通行の安全を確保するとともに、グレアを原因として生じる通行者などの視力低下を回避し、さらに光拡散手段に出射光を入射させる前段階で出射光のうち集光用レンズの中心軸に沿った光強度を弱めて平均化し、集光用レンズの中心軸方向で発生するグレアを確実に回避して、例えば１０ｍ先の通行者の向きを識別するとともにこの通行者を識別するように従来のものより格段に高い装置性能を有するものであれば、その具体的な実施の態様は、如何なるものであっても何ら構わない。
たとえば、本発明の照明装置では、複数の発光ダイオードの全てが、複数の発光ダイオードのそれぞれに対応する集光用レンズの中心軸からずらして配置されてもよい。
また、本発明の照明装置は、ケース基板上に設けられているとともにこのケース基板の基板面に対して外側に向かって傾いた素子配置面を有する素子配置用ベース部をさらに備え、複数の発光ダイオードおよび複数の集光用レンズが素子配置面に配置されていてもよい。
この場合、相互に異なる列を構成する複数の発光ダイオードおよび複数の集光用レンズが配置された相互に異なる素子配置面が基板面に対してなす角度のそれぞれを相互に異ならせるように素子配置面を構成してもよい。
特に、照明装置から出射された拡散光をより広い範囲に照射する観点からみれば、相互に異なる列を構成する複数の発光ダイオードおよび複数の集光用レンズが配置された相互に異なる素子配置面のうちケース基板のより外側に位置する素子配置面が基板面に対してなす角度をその内側に位置する素子配置面が基板面に対してなす角度より大きくするほうが照明装置の直下の照度を高めると同時に照明装置から遠い広い範囲を均一且つ高い照度で照らすことができる点でより好ましい。
【００２０】
本発明の照明装置における発光ダイオードの具体的配列形態としては、例えば、複数の発光ダイオードおよびこれら各々から出射された光源光を集光する複数の集光用レンズが複数列に配列されていてもよいし、相互に異なる列を構成する複数の発光ダイオードおよび複数の集光用レンズが配列方向に沿って相互にずらして配置されていてもよい。
また、本発明の照明装置では、発光ダイオードから出射される光源光の波長を限定していないが、光源光が波長６００ｎｍ未満の青緑色、緑青色、青色、紫色の光を含んでいる場合にはグレアによる黄斑部などの光化学反応が生じ易くなるため、本発明の照明装置によるグレアの低減に伴って視力低下を回避する効果がより一層顕著に奏される。
なお、本発明の照明装置は、主に屋外に設置される防犯灯、街路灯、トンネル灯および道路灯などの照明装置に少なくとも使用されるものであればよく、これら用途に限定されるものではない。
また、本発明の照明装置は、通行者だけでなく、自動車などの車両を運転する運転者についてもグレアを低減することができるなど通行者に対する効果と同様の効果を奏する。
【実施例】
【００２１】
［第１実施例］
本発明の第１実施例に係る照明装置１００を図１乃至図６に基づいて説明する。
ここで、図１は、本発明の第１実施例に係る照明装置を一部破断した斜視図であり、図２は、本発明の第１実施例に係る照明装置を一部破断した正面図であり、図３は、図２のＸ−Ｘ線の断面図であり、図４は、本発明の第１実施例に係る照明装置の使用態様図であり、図５は、本発明の第１実施例に係る照明装置の照度分布を示した照度分布図であり、図６は、本発明の第１実施例に係る照明装置と比較例における照度の一覧表である。
まず、図１に示すように、本実施例に係る照明装置１００は、屋外の街路に設けられた電柱などの取り付け部Ｐに設置されて街路を照らす防犯灯として使用される照明装置である。
【００２２】
次に、図１乃至図３に基づいて、照明装置１００の詳細な構成を説明する。
図１乃至図３に示すように、照明装置１００は、ケース基板Ｓ上に設けられているとともに、ケース基板Ｓの基板面Ｓ１に対して外側に向かって傾いた素子配置面１１１および１１２を有する素子配置用ベース部１１０と、素子配置面１１１および１１２上に配置されて光源光Ｌ１を各々出射する複数の発光ダイオード１２０と、素子配置面１１１および１１２上で複数の発光ダイオード１２０の光源光出射側に各々配置されているとともに、光源光Ｌ１を集光して出射光Ｌ２として出射する複数の集光用レンズ１３０と、集光用レンズ１３０の出射光出射側に設けられているとともに、出射光Ｌ２を拡散して拡散光Ｌ３として出射する光拡散手段の一例であるプリズムカバー１４０とを備えて構成されている。
【００２３】
照明装置１００は、ケース基板Ｓ上に設けられているとともに、ケース基板Ｓの基板面Ｓ１に対して外側に向かって傾いた素子配置面１１１および１１２を有する素子配置用ベース部１１０と、この素子配置面１１１および１１２上に配置されて光源光Ｌ１を各々出射する複数の発光ダイオード１２０とを備えていることにより、基板面Ｓ１に平行な素子配置面に発光ダイオード１２０を取り付ける場合に比べて光源光Ｌ１の大部分をケース基板Ｓの外側方向に向かって出射するようになっている。
特に、照明装置１００では、相互に異なる列を構成する複数の発光ダイオード１２０および複数の集光用レンズ１３０が配置された相互に異なる素子配置面１１１および１１２のうちケース基板Ｓのより外側に位置する素子配置面１１２が基板面Ｓ１に対してなす傾斜角度α２が、素子配置面１１２の内側に位置する素子配置面１１１が基板面Ｓ１に対してなす傾斜角度α１より大きいため、傾斜角度α１およびα２が相互に等しい場合に比べて、取り付け部Ｐに設置された照明装置１００の直下を高い照度で照らすだけでなく拡散光Ｌ３をより広い範囲に照射するようになっている。
【００２４】
照明装置１００は、素子配置面１１１および１１２上で複数の発光ダイオード１２０の光源光出射側に各々配置されているとともに、光源光を集光して出射光として出射する複数の集光用レンズ１３０を備えていることにより、光源光Ｌ１をそのまま出射して無駄になる光が存在する場合に比べて、単位消費電力に対して照明用の光として利用することができる光の割合を増加させるようになっている。
【００２５】
照明装置１００は、集光用レンズ１３０の出射光出射側に設けられているとともに、出射光Ｌ２を拡散して拡散光Ｌ３として出射するプリズムカバー１４０を備えていることにより、光を直視することで発生するグレアによって通行者などにおける光の視認性が低下することを回避すると同時に照明装置１００から遠い広い範囲を略均一且つ高い照度で照らして通行者などの通行の安全を確保するとともに、グレアを原因として生じる通行者などの視力低下を回避するようになっている。
【００２６】
加えて、図３に示すように、照明装置１００は、発光ダイオード１２０が集光用レンズ１３０の中心軸Ａ１およびＡ２からずらして配置されていることにより、プリズムカバー１４０に出射光Ｌ２を入射させる前段階で出射光Ｌ２のうち集光用レンズの中心軸に沿った光強度を弱めて平均化し、集光用レンズ１３０の中心軸Ａ１およびＡ２方向で発生するグレアを確実に回避している。
さらに加えて、照明装置１００は、複数の発光ダイオード１２０がケース基板Ｓ上の配列方向Ｄに沿って直線状に配列され、複数の集光用レンズ１３０が配列方向Ｄに沿って千鳥状に配列されていることにより、各集光用レンズ１３０から出射される出射光Ｌ２に対応する拡散光Ｌ３の空間的な分布が相互に平均化されて照明装置１００から遠い広い範囲をより一層均一且つ高い照度で照らすようになっている。
【００２７】
また、照明装置１００では、集光用レンズ１３０の表面がブラスト加工されていてもよい。
このような集光用レンズ１３０を備える照明装置１００は、照明装置１００から遠い広い範囲をより均一且つ高い照度で照らすとともにグレアの発生をより低減するようになっている。
また、照明装置１００では、プリズムカバー１４０の表面の少なくとも一部がブラスト加工されていてもよい。
このようなプリズムカバー１４０を備える照明装置１００は、照明装置１００から遠い広い範囲をより一層均一且つ高い照度で照らすとともにグレアの発生をより一層低減している。
【００２８】
次に、図４乃至図６に基づいて、照明装置１００の装置性能をより具体的に説明する。
図４に示すように、発光ダイオードを光源として用いた照明装置Ｅを街路面Ｇから高さｈの位置で取り付け部Ｐに設置した場合、照明装置Ｅから距離ｒの位置に光を届かせるためには、照明装置Ｅから出射される光の指向角θが、次の式（１）を満たす必要がある。
ａｒｃｔａｎ(ｒ／ｈ)＝θ・・・式（１）
しかしながら、照明装置Ｅから指向角θの方向に指向性の高い光が出射されると、通行者Ｍの目に直接光が入射してグレアを発生させてしまうとともに、光の波長によっては視力低下を招いてしまう。
【００２９】
そこで、照明装置１００は、前述した構成により、光を直視することで発生するグレアによって通行者などにおける光の視認性が低下することを回避すると同時に、図４乃至図６に示すように、街路面Ｇから高さｈの位置に設置された照明装置１００から遠い広い範囲を略均一且つ高い照度で照らし出して通行者Ｍなどの通行の安全を確保するとともに、グレアを原因として生じる通行者などの視力低下を回避し、従来の照明装置に比べて格段に高い装置性能を発揮するようになっている。
【００３０】
より具体的には、図５に示すように、照明装置１００から図中横方向に沿って均一な照度が占める範囲が広がっているとともに、図６に示すように、照明装置１００は、照明装置１００と、発光ダイオードを光源とする比較例１乃至３のそれぞれに係る照明装置とに相互に等しい駆動電力を供給した条件において、照明装置１００の直下、すなわちｒ＝０[ｍ]の位置では、比較例１乃至３のそれぞれに係る照明装置より照度が低いが、ｒ＝５[ｍ]、１０[ｍ]の位置では、比較例１乃至３のそれぞれに係る照明装置より照度が高くなっている。
したがって、本実施例に係る照明装置１００は、比較例１乃至３のそれぞれに係る照明装置に比べて格段に高い装置性能を発揮するようになっている。
【００３１】
さらに具体的に、本実施例に係る照明装置１００の性能を説明する。
たとえば、図３および図４に示すように、レンズ指向角β＝３０°の集光レンズ１３０を備える照明装置１００がｈ＝４．８ｍの高さに配置されてｒ＝１６ｍの位置まで拡散光Ｌ３を到達させる場合、拡散光Ｌ３の指向角はθ＝７３°である。仮にこの指向角をθ＝７５°とすると下記の式（２）および式（３）に基づいて傾斜角度α２＝４５°が設定されたままで傾斜角度α１を０乃至傾斜角度α２までの任意の角度に設定することができる。
α２＋β＞θ・・・式（２）
α２＞θ−β＝７５°−３０°＝４５°・・・式（３）
【００３２】
したがって、照明装置１００からｒ＝１６ｍの地点まで拡散光Ｌ３が到達するため、照明装置１００が、防犯照明ガイドで要求される性能以上の装置性能を有することになる。
【００３３】
[第２実施例]
つぎに、図７および図８に基づいて、本発明の第２実施例に係る照明装置２００を説明する。
図７は、本発明の第２実施例に係る照明装置の一部を示した断面図であり、図８は、本発明の第２実施例に係る照明装置の使用態様図である。
なお、本実施例に係る照明装置２００は、上述の照明装置１００に比べて複数の発光ダイオード２２０Ａが集光用レンズ２３０の中心軸上に配置されているとともに複数の発光ダイオード２３０Ｂが集光用レンズ２３の中心軸からずらして配置され、素子配置用ベース部２１０が、ケース基板Ｓの基板面Ｓ１に対して平行に配置されている点で具体的な形態が異なっているだけであり、その余の構成については第１実施例の照明装置１００と全く同じであるため、これらの具体的な説明を符号１００番代の数字を２００番台に読み替えることによって省略する。
【００３４】
図７に示すように、本実施例に係る照明装置２００では、中心軸Ａ３上に発光ダイオード２２０Ａが配置された集光用レンズ２３０が、中心軸Ａ３に対してレンズ指向角β１を有している。
中心軸Ａ４上からずらして発光ダイオード２２０Ｂが配置された集光用レンズ２３０が、中心軸Ａ４に対してレンズ指向角β２を有している。
【００３５】
図７および図８に示すように、街路面Ｇを走行する車両Ｋの運転者から見て、照明装置２００の前方側に拡散光Ｌ５が出射されるとともに、後方すなわち車両Ｋの側に拡散光Ｌ４が出射される。
【００３６】
ここで、拡散光Ｌ４が街路面Ｇと平行な仮想面となす角度ｅ（９０°−θ１）が、車両Ｋを運転する運転者の視野角ｄより大きいため、拡散光Ｌ４に起因して車両Ｋの運転者にグレアが発生しないようになっている。
したがって、本実施例に係る照明装置２００は、上述した照明装置１００と同様の効果を奏するとともに、車両Ｋの運転者に発生しうるグレアを低減するようになっているため、道路灯およびトンネル灯に特に好適した構成となっている。
【００３７】
なお、図９に示すように、断面形状が半円形状のプリズム１４１および２４１を備えるプリズムカバー１４０および２４０の代わりに断面形状が山形のプリズムカバー３４１を有するプリズムカバー３４０を照明装置１００および２００に用いても、照明装置１００および２００は、プリズムカバー１４０および２４０を備えた場合と同様の効果を奏する。
【００３８】
以上説明したように、本発明の第１実施例に係る照明装置１００は、ケース基板Ｓ上に設けられて光源光Ｌ１を各々出射する複数の発光ダイオード１２０と、素子配置面１１１および１１２上で複数の発光ダイオード１２０の光源光出射側に各々配置されているとともに、光源光Ｌ１を集光して出射光Ｌ２として出射する複数の発光ダイオード複数の集光用レンズ１３０と、集光用レンズ１３０の出射光出射側に設けられているとともに、出射光Ｌ２を拡散して拡散光Ｌ３として出射するプリズムカバー１４０とを備えていることにより、光を直視することで発生するグレアによって通行者などにおける光の視認性が低下することを回避すると同時に照明装置１００から遠くて広い範囲を略均一且つ高い照度で照らし出して通行者などの通行の安全を確保するとともに、グレアを原因として生じる通行者などの視力低下を回避するなど、従来の照明装置に比べて格段に高い装置性能を発揮することができる点でその効果は甚大である。
【００３９】
また、本発明の第２実施例に係る照明装置２００も、第１実施例に係る照明装置１００と同様の効果を奏するだけでなく、車両Ｋの運転者に発生しうるグレアを低減できるなど、その効果は甚大である。
【符号の説明】
【００４０】
１００、２００  ・・・  照明装置
１１０、２１０  ・・・  素子配置用ベース部
１１１、１１２  ・・・  素子配置面
１２０、２２０Ａ、２２０Ｂ  ・・・  発光ダイオード
１３０、２３０  ・・・  集光用レンズ
１４０、２４０、３４０  ・・・  プリズムカバー
１４１、２４１、３４１  ・・・  プリズム
Ａ１、Ａ２、Ａ３、Ａ４  ・・・  集光用レンズ中心軸
Ｄ  ・・・配列方向
Ｅ  ・・・  照明装置
Ｇ  ・・・  街路面
Ｋ  ・・・車両
Ｌ１  ・・・  光源光
Ｌ２  ・・・  出射光
Ｌ３、Ｌ４、Ｌ５  ・・・  拡散光
Ｍ  ・・・  通行者
Ｐ  ・・・  取り付け部
Ｓ  ・・・  ケース基板
Ｓ１  ・・・  基板面
ｄ  ・・・  視野角
α１、α２  ・・・傾斜角度
β、β１、β２  ・・・レンズ指向角
θ  ・・・  指向角
θ１  ・・・後方照射角
θ２  ・・・前方照射角
【図１】
0005512363.tif 000002
【図２】
0005512363.tif 000003
【図３】
0005512363.tif 000004
【図４】
0005512363.tif 000005
【図５】
0005512363.tif 000006
【図６】
0005512363.tif 000007
【図７】
0005512363.tif 000008
【図８】
0005512363.tif 000009
【図９】
0005512363.tif 000010